(57)【特許請求の範囲】
【請求項１】
縦長の基枠体を有した中扉用錠ユニットが、ゲーム機の本体枠に開閉可能に装着された中扉に取り付けられ、基枠にシリンダ錠を設けたシリンダ錠ユニットが、該中扉に開閉可能に装着された前扉に取り付けられ、該前扉を施錠するための鉤部材が、該中扉用錠ユニット内に傾動または摺動可能に取り付けられ、該前扉に設けられた受け金具に該鉤部材が係止されて該前扉が施錠され、該中扉を施錠するためのラッチ部材が、該中扉用錠ユニット内に回動可能に枢支され、該本体枠に設けられた受け具に該ラッチ部材が係止されて該中扉が施錠されるゲーム機の施錠装置において、
該中扉用錠ユニットの該基枠体内に解錠用の作動杆が摺動可能に配設され、該作動杆には、解錠時に該鉤部材に係合して該鉤部材を解錠方向に傾動または摺動させる係合部が設けられ、
前記シリンダ錠の錠軸にカム部材が固定され、前記シリンダ錠ユニットの基枠に摺動部材が該カム部材と係合して摺動可能に取り付けられ、
該摺動部材には円柱部材が該シリンダ錠の軸方向と直交する方向に向けて取り付けられ、
該作動杆には、該前扉を閉じた時、該円柱部材と係合する係合凹部が設けられ、該係合凹部には、前方を該作動杆の摺動方向に拡開する拡開形状部が設けられ、
該シリンダ錠に差し込んだキーを該前扉の解錠方向または該中扉の解錠方向に回した状態で該前扉を閉じたとき、該円柱部材が該拡開形状部から該係合凹部に進入することを特徴とするゲーム機の施錠装置。
【請求項２】
前記中扉用錠ユニットの基枠体が第１ケースフレームと第２ケースフレームを組み合わせて構成され、該第１ケースフレームと第２ケースフレームとの重ね合わせ部に形成された空間内に支持板が配設され、該支持板に前記鉤部材が傾動または摺動可能に、且つその鉤部を該基枠体の前部に突出して取り付けられたことを特徴とする請求項１記載のゲーム機の施錠装置。
【請求項３】
前記基枠体の第１ケースフレームと第２ケースフレームに、前記中扉の施錠時に前記受け具を進入させる開口凹部が形成され、前記支持板には該開口凹部に対応した位置にラッチ凹部が設けられ、前記ラッチ部材は、該開口凹部内に進入した該受け具を拘束する溝状のロック凹部を有するとともに、該支持板の該ラッチ凹部の近傍に回動可能に枢支され、
該基枠体内の該支持板に沿って解錠用の第１作動杆と第２作動杆が摺動可能に配設され、該第２作動杆には、該１作動杆が該中扉の解錠方向に移動したとき係合して従動するための係合部が設けられるとともに、該中扉の解錠時に該ラッチ部材との係合を外して該ラッチ部材の解錠方向への回動を許容させる作動係合部が設けられたことを特徴とする請求項２記載のゲーム機の施錠装置。
【請求項４】
前記円柱部材には、カラーが回転自在に外嵌されたことを特徴とする請求項１記載のゲーム機の施錠装置。
【請求項５】
前記第１作動杆には、前記前扉及び中扉の解錠操作時に移動した該第１作動杆を原位置に戻すためのばね部材が装着されたことを特徴とする請求項３記載のゲーム機の施錠装置。
【請求項６】
前記シリンダ錠ユニットの摺動部材には、前記前扉及び中扉の解錠操作時に移動した該摺動部材を原位置に戻すためのばね部材が装着されたことを特徴とする請求項１記載のゲーム機の施錠装置。
【請求項７】
前記ばね部材として、前記第１作動杆をフローティング状態としその長手方向の中立位置に戻すように付勢するコイルばねが装着されたことを特徴とする請求項５記載のゲーム機の施錠装置。
【請求項８】
前記ばね部材として、前記摺動部材をフローティング状態としその長手方向の中立位置に戻すように付勢するコイルばねが装着されたことを特徴とする請求項６記載のゲーム機の施錠装置。
【発明の詳細な説明】
【技術分野】
【０００１】
本発明は、パチンコ機、スロットマシン等のゲーム機の前扉（ガラス枠）を中扉に施錠すると共に、中扉を本体枠（筐体）に施錠する施錠装置に関し、特に、前扉側にシリンダ錠などをユニット化したシリンダ錠ユニットを取り付け、中扉側にラッチ部材、鉤部材、作動杆などをユニット化した中扉用錠ユニットを取り付ける構造のゲーム機の施錠装置に関する。
【背景技術】
【０００２】
従来、パチンコ機、スロットマシンなどのゲーム機の前扉（ガラス枠）を本体枠（筐体）に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、ゲーム機において広く使用されている。
【０００３】
また、パチンコ機の施錠装置として、鉤部を上下に設けたガラス枠用施錠杆を基枠体内に摺動可能に配設し、前扉に開閉可能に配設されたガラス枠と筐体に開閉可能に装着された前扉の両方を施錠・解錠する構造の施錠装置が、下記特許文献１により知られている。
【特許文献１】特許第３０３０６１３号公報
【特許文献２】特開２００１−１３７５１２号公報
【発明の開示】
【発明が解決しようとする課題】
【０００４】
この種のガラス枠用施錠杆を基枠体内に、前扉用の鉤部材及び連結杆と共に配設した施錠装置は、前扉の内側に鉤部材を筐体側に突出した状態で、基枠体を縦に取り付け、鉤部材が係止可能な受け金具を筐体側の対応位置に取り付け、取付板に固定したシリンダ錠の正面を前扉の正面に現して装着される。このため、前扉前面側に取り付けられたガラス枠は、シリンダ錠を避けた形状に、つまりシリンダ錠の先端を露出した形状に形成する必要があり、ガラス枠の設計形状の自由度が制限されるという課題があった。
【０００５】
また、周知のように、パチンコ機、スロットマシンの前扉には、装飾用プラスチック、照明装飾器具など各種の電気部品、装飾部品、操作部品などが装着されているため、施錠装置を取り付けるためのスペースが狭く制限され、さらに、各種の電気部品等を取り付けた前扉は重量が重くなり、開閉の操作性を考慮して、前扉をできるだけ軽くするように、前扉の軽量化が要望されていた。
【０００６】
そこで、従来、パチンコ機のガラス枠の内側にシリンダ錠を取り付けると共に基枠を固定し、シリンダ錠の鍵穴面をガラス枠の前面に露出させ、シリンダ錠の錠軸にカムレバーを固定し、基枠にはガラス枠用可動錠板を上下摺動可能取り付けて、シリンダ錠によるカムレバーの回動操作により可動錠板を摺動させて、ガラス枠の解錠を行なうようにした構造の施錠装置が、上記特許文献２で提案されている。
【０００７】
この施錠装置は、表枠（前扉）に第２施錠ユニットが取り付けられ、この施錠ユニットには、断面Ｌ形の基枠の上部と下部に表枠用のロック爪を傾動可能に軸支すると共に、表枠用可動錠板を上下摺動可能に装着してロック爪に可動錠板を連結させ、上記シリンダ錠のカムレバーが表枠用可動錠板の一部に係合可能とされる。そして、シリンダ錠の上記と逆方向の回動操作により、カムレバーを表枠用可動錠板に係合させてそれを解錠方向に摺動させ、ロック爪を傾動させて、本体枠側に固定した受け金具との係合を外して解錠するようにしている。
【０００８】
しかし、上記特許文献２の施錠装置は、ガラス枠に取り付けたシリンダ錠により、表枠に取り付けた第２施錠ユニットを解錠動作させて表枠を解錠するとともに、同じシリンダ錠を逆方向に操作してガラス枠に取り付けらガラス枠用可動錠板を解錠動作させ、ガラス枠を解錠する構造であり、シリンダ錠の錠軸（ロータ）が単純に中立位置に戻った状態で、シリンダ錠のカムレバーと表枠用可動錠板との係合部及びカムレバーとガラス枠用可動錠板との係合部が係合可能となるように配置される。
【０００９】
このため、例えば使用者がシリンダ錠に差し込んだキーを、ガラス枠解錠側に或いは表枠解錠側に回した状態で、ガラス枠を表枠に対し閉じた場合、或いは表枠を本体枠に対し閉じた場合、カムレバーと表枠用可動錠板またはカムレバーとガラス枠用可動錠板が不良当接し、施錠が不完全な状態で表枠またはガラス枠が閉鎖され、或いは表枠やガラス枠が閉鎖できなくなる課題があった。
【００１０】
本発明は、上記の点に鑑みなされたもので、シリンダ錠に差し込んだキーを回した状態で、前扉を閉じた場合でも、適正に施錠することができるゲーム機の施錠装置を提供することを目的とする。
【課題を解決するための手段】
【００１１】
上記目的を達成する本発明のゲーム機の施錠装置は、縦長の基枠体を有した中扉用錠ユニットが、ゲーム機の本体枠に開閉可能に装着された中扉に取り付けられ、基枠にシリンダ錠を設けたシリンダ錠ユニットが、該中扉に開閉可能に装着された前扉に取り付けられ、該前扉を施錠するための鉤部材が、該中扉用錠ユニット内に傾動または摺動可能に取り付けられ、該前扉に設けられた受け金具に該鉤部材が係止されて該前扉が施錠され、該中扉を施錠するためのラッチ部材が、該中扉用錠ユニット内に回動可能に枢支され、該本体枠に設けられた受け具に該ラッチ部材が係止されて該中扉が施錠されるゲーム機の施錠装置において、
該中扉用錠ユニットの該基枠体内に解錠用の作動杆が摺動可能に配設され、該作動杆には、解錠時に該鉤部材に係合して該鉤部材を解錠方向に傾動または摺動させる係合部が設けられ、
前記シリンダ錠の錠軸にカム部材が固定され、前記シリンダ錠ユニットの基枠に摺動部材が該カム部材と係合して摺動可能に取り付けられ、
該摺動部材には円柱部材が該シリンダ錠の軸方向と直交する方向に向けて取り付けられ、
該作動杆には、該前扉を閉じた時、該円柱部材と係合する係合凹部が設けられ、該係合凹部には、前方を該作動杆の摺動方向に拡開する拡開形状部が設けられ、
該シリンダ錠に差し込んだキーを該前扉の解錠方向または該中扉の解錠方向に回した状態で該前扉を閉じたとき、該円柱部材が該拡開形状部から該係合凹部に進入することを特徴とする。
【００１２】
この発明によれば、シリンダ錠に差し込んだキーを前扉または中扉の解錠方向に回した状態で前扉を閉じたときでも、シリンダ錠ユニットの円柱部材が中扉用錠ユニットの作動杆の拡開形状部から係合凹部に進入するので、シリンダ錠ユニットと中扉用錠ユニットは適正な係合状態となり、鉤部材が適正に傾動して受け金具に係止され、前扉を中扉に対し適正に施錠することができる。
【００１３】
また、その状態で中扉が解錠状態であって、キーを中扉の解錠方向に回した状態で中扉を本体枠に対し閉じた場合でも、中扉用錠ユニットのラッチ部材は適正に施錠状態となり、キーを中立位置に戻せば、中扉を適正に施錠することができる。
【００１４】
さらに、前扉を解錠する際、シリンダ錠をキーにより解錠側に回動操作すれば、カム部材が回転し、シリンダ錠ユニットの基枠内の摺動部材が解錠側に摺動し、円柱部材及び係合凹部を介して作動杆を摺動させ、係合部を介して鉤部材を解錠側に傾動させ、前扉を円滑に解錠することができる。
【００１５】
ここで、上記施錠装置において、上記中扉用錠ユニットの基枠体が第１ケースフレームと第２ケースフレームを組み合わせて構成され、該第１ケースフレームと第２ケースフレームとの重ね合わせ部に形成された空間内に支持板が配設され、該支持板に前記鉤部材が傾動または摺動可能に、且つその鉤部を該基枠体の前部に突出して取り付ける構成とすることができる。
【００１６】
この発明によれば、機能部品である作動杆、鉤部材、ラッチ部材などが、基枠体の第１ケースフレームと第２ケースフレームにより覆われ、中扉用錠ユニットの両側面が突出部のない平坦な形状となるので、中扉用錠ユニットを狭い中扉の施錠用スペースに取り付ける際、ゲーム機内の他の収納部品と干渉させることなく、円滑に取り付けることができる。また、第１ケースフレームと第２ケースフレームにより機能部品をカバーするので、針金などを差し込んで行なわれる不正解錠を効果的に阻止することができる。
【００１７】
またここで、上記基枠体の第１ケースフレームと第２ケースフレームに、前記中扉の施錠時に前記受け具を進入させる開口凹部が形成され、前記支持板には該開口凹部に対応した位置にラッチ凹部が設けられ、前記ラッチ部材は、該開口凹部内に進入した該受け具を拘束する溝状のロック凹部を有するとともに、該支持板の該ラッチ凹部の近傍に回動可能に枢支され、該基枠体内の該支持板に沿って解錠用の第１作動杆と第２作動杆が摺動可能に配設され、該第２作動杆には、該１作動杆が該中扉の解錠方向に移動したとき係合して従動するための係合部が設けられるとともに、該中扉の解錠時に該ラッチ部材との係合を外して該ラッチ部材の解錠方向への回動を許容させる作動係合部を設けるように構成することができる。
【００１８】
これによれば、中扉を閉じた時、受け具がラッチ部材のロック凹部内に進入しこれを押して回動させ、その係止位置で第２作動杆の係合部がラッチ部材のラッチ用凹部内に係止されて、ラッチ部材が受け具を拘束した位置でロックされ、中扉を適正に施錠することができる。
【００１９】
また、中扉を解錠する際、シリンダ錠をキーにより解錠側に回動操作すれば、カム部材が回転し、シリンダ錠ユニットの基枠内の摺動部材を解錠側に摺動させ、摺動部材の摺動により該円柱部材を介して上記第１作動杆を摺動させ、第１作動杆の係合部を介して第２作動杆を解錠側に摺動させ、該第２作動杆の摺動により、その係合部がラッチ用凹部から外れ、ラッチ部材がばね力により解錠側に回動して、中扉を解錠することができる。
【００２０】
ここで、上記施錠装置において、上記円柱部材には、カラーを回転自在に外嵌させることが好ましい。これによれば、円柱部材が上記拡開形状部に接触したとき、カラーが回転しながら摩擦抵抗を最小として円滑に円柱部材が係合凹部に進入することができる。
【００２１】
また、前記第１作動杆には、前扉及び中扉の解錠操作時に移動した該第１作動杆を原位置に戻すためのばね部材を装着することが好ましい。また、前記シリンダ錠ユニットの摺動部材には、前扉及び中扉の解錠操作時に移動した該摺動部材を原位置に戻すためのばね部材を装着することが好ましい。これによれば、シリンダ錠にキーを挿入して前扉または中扉の解錠操作を行なったとき、キーの解錠操作力を緩めれば、ばね力により自動的に第１作動杆または摺動部材を元の位置に復帰させ、前扉または中扉を閉じれば、常に施錠可能な状態に施錠装置を保持することができる。
【００２２】
さらにここで、上記ばね部材としては、第１作動杆または摺動部材をフローティング状態でその長手方向の中立位置に戻すように付勢するコイルばねを装着することができる。
【発明の効果】
【００２３】
本発明のゲーム機の施錠装置によれば、シリンダ錠に差し込んだキーを回した状態で、前扉を閉じた場合でも、シリンダ錠ユニットの円柱部材が中扉用錠ユニットの係合凹部に確実に進入して係合し、前扉または中扉を適正に施錠することができる。
【図面の簡単な説明】
【００２４】
【図１】本発明の一実施形態を示す施錠装置の中扉用錠ユニットとシリンダ錠ユニットの正面図である。
【図２】同中扉用錠ユニットとシリンダ錠ユニットの左側面図である。
【図３】同中扉用錠ユニットとシリンダ錠ユニットの右側面図である。
【図４】同中扉用錠ユニットとシリンダ錠ユニットの斜視図である。
【図５】同中扉用錠ユニットとシリンダ錠ユニットの斜視図である。
【図６】中扉用錠ユニットの分解右側面図である。
【図７】中扉用錠ユニットの分解斜視図である。
【図８】中扉用錠ユニットの分解斜視図である。
【図９】（ａ）は鉤部材の分解斜視図、（ｂ）はラッチ部材の分解斜視図である。
【図１０】シリンダ錠ユニットの分解斜視図である。
【図１１】シリンダ錠ユニットの分解斜視図である。
【図１２】（ａ）は施錠状態の中扉用錠ユニットとシリンダ錠ユニットの平面図、（ｂ）は同施錠状態の中扉用錠ユニットとシリンダ錠ユニットの部分拡大斜視図である。
【図１３】施錠装置の使用状態を示し、施錠時の上部拡大図である。
【図１４】施錠装置の使用状態を示し、施錠時の下部拡大図である。
【図１５】中扉を施錠状態とする中扉用錠ユニットとシリンダ錠ユニットの前扉解錠時の下部拡大斜視図である。
【図１６】施錠装置の使用状態を示し、中扉を解錠したときの上部部分拡大図である。
【図１７】施錠装置の使用状態を示し、中扉を解錠したときの下部部分拡大図である。
【図１８】施錠装置の使用状態を示し、前扉を解錠したときの上部部分拡大図である。
【図１９】シリンダ錠を右に回した状態で、前扉を閉じたときの中扉用錠ユニットとシリンダ錠ユニットの部分拡大斜視図である。
【図２０】施錠装置の使用状態を示し、シリンダ錠を左に回した状態で、前扉を閉じたときの下部部分拡大図である。
【発明を実施するための形態】
【００２５】
以下、本発明の実施形態を図面に基づいて説明する。図１〜図４はパチンコ機等のゲーム機に使用される施錠装置を示し、この施錠装置は、概略的には、ゲーム機の中扉８１に取り付けられ、中扉８１と前扉８２を施錠する中扉用錠ユニット１と、前扉８２に取り付けられ、シリンダ錠４０を備えたシリンダ錠ユニット４とから構成される。
【００２６】
図１３に示すように、施錠装置の中扉用錠ユニット１内には、前扉８２施錠用の鉤部材２５及び中扉８１を施錠するためのラッチ部材３０が傾動可能に枢支される。施錠装置は、基本的に、前扉８２に設けた受け金具９１に鉤部材２５を係止して前扉８２を施錠し、本体枠８０に設けた受け具９０にラッチ部材３０を係止して中扉８１を施錠する構造であり、解錠時には、シリンダ錠ユニット４のシリンダ錠４０を解錠操作して、前扉８２または中扉８１を解錠するように構成される。
【００２７】
中扉用錠ユニット１は、図１３に示すように、ゲーム機の本体枠８０の前面に開閉可能に装着された中扉８１に取り付けられ、図１〜図４に示すように、第１ケースフレーム２０と第２ケースフレーム２１からなる縦長の基枠体１０を備えている。基枠体１０は、第１ケースフレーム２０と第２ケースフレーム２１を、図６〜図８に示すように、相互に重ね合わせるように組み付けて構成され、図１２（ｂ）に示すように、特に第１ケースフレーム２０と第２ケースフレーム２１からなる縦長の基枠体１０は、その正面幅Ａが、奥行幅Ｂに比して薄くした薄型のケースフレームとして形成される。
【００２８】
第１ケースフレーム２０と第２ケースフレーム２１の各形状は、図１２（ａ）に示す如く、その正面幅Ａが奥行幅Ｂに比して小さく薄くなるように金属板を成形して形成され、この例では、第１ケースフレーム２０と第２ケースフレーム２１を組み付けたとき、基枠体１０の正面幅Ａと奥行幅Ｂとの割合が、約１対５となるように形成される。これにより、中扉用錠ユニット１の基枠体１０の正面幅Ａは、その奥行幅Ｂに対し約１／５程度と短くなり、中扉用錠ユニット１をゲーム機の中扉８１の内側に取り付ける際、中扉８１内の取付スペースが非常に狭い場合であっても、中扉用錠ユニット１を中扉８１の内側に容易に取り付けることができ、また、ゲーム機の中扉８１内に収納される多く部品との干渉を避けて安全に取り付けることができる構造となっている。
【００２９】
基枠体１０の第１ケースフレーム２０と第２ケースフレーム２１は、内部に空間が形成されるように、左右から重ね合わせて組み付けられ、その内部空間内に、支持板１１、第１作動杆１２、第２作動杆１３、鉤部材２５、及びラッチ部材３０などの施錠用機能部品が配設される。
【００３０】
第１ケースフレーム２０と第２ケースフレーム２１は、支持板１１、第１作動杆１２、第２作動杆１３、鉤部材２５、及びラッチ部材３０などを収納した状態で、重ね合わせられ、５本の固定ねじにより、相互に締め付け固定され、組み付けられる。これにより、図４，５に示すように、各機能部品はその主要部が外殻となる第１ケースフレーム２０と第２ケースフレーム２１により覆われることとなる。
【００３１】
このため、ゲーム機のように、特に外部から針金などの不正器具を挿入して不正解錠が行われやすい場合、効果的に不正解錠を防止することができる。中扉用錠ユニット１は、その基枠体１０を中扉８１の内側の側壁面に、縦にその第２ケースフレーム２１側を固定して取り付けられ、そのために、基枠体１０の周縁部の厚さ方向に、複数の取付孔が穿設され、取付ねじと各取付孔を用いて中扉用錠ユニット１は中扉８１に取り付けられる。
【００３２】
上記のように、第１ケースフレーム２０と第２ケースフレーム２１からなる基枠体１０内の支持板１１には、鉤部材２５が傾動可能に枢支されて基枠体１０内に収納される。第１ケースフレーム２０の細い前縁部（直角に曲げられた縦長の前部）には、その上部、中間部、下部に、図４に示す如く、スリット２０ａが形成され、鉤部材２５の鉤部２６が各スリット２０ａから突出する。さらに、基枠体１０の前縁部の下部寄りには、図４に示す如く、第１作動杆１２の突部が露出し、且つシリンダ錠ユニット４の円柱部材４５が進入するための開口部２０ｂが形成される。
【００３３】
つまり、第１ケースフレーム２０と第２ケースフレーム２１の背面側には、受け具９０の係止受ピン９０ａ（ゲーム機の本体枠８０に固定される）を進入させるための開口凹部２２が、上部と下部に形成される。さらに、基枠体１０内には、開口凹部２２近傍の支持板１１に、ラッチ部材３０が支軸３１を介して回動（傾動）可能に軸支される。これにより、中扉８１を閉じたとき、受け具９０の係止受ピン９０ａが先ず基枠体１０の開口凹部２２に進入し、ラッチ部材３０の回動によって、そのロック凹部３２内に係止受ピン９０ａ（図１３）を拘束し、施錠するようになっている。
【００３４】
上記のように、図７，８に示す如く、第１ケースフレーム２０と第２ケースフレーム２１を重ね合わせた基枠体１０の空間内に、縦長の支持板１１が長手方向に沿って取り付けられる。支持板１１は、第１作動杆１２と第２作動杆１３を上下に所定の幅で摺動可能に支持し、そこには、上記鉤部材２５及びラッチ部材３０が支軸２７及び３１を軸に傾動可能に枢支される。図６に示すように、支持板１１の上部と下部には、第１ケースフレーム２０と第２ケースフレーム２１の開口凹部２２に対応した位置に、ラッチ凹部１４が形成され、上述の如く、中扉８１を閉じたとき、その受け具９０の係止受ピン９０ａをラッチ凹部１４内に進入させ、ラッチ部材３０のロック凹部３２で拘束しロックする構造である。
【００３５】
さらに、支持板１１の上部、中間部、及び下部の３箇所には、前扉８２の施錠用として、鉤部材２５が各々、支軸２７を介して所定の角度範囲で回動可能に軸支される。鉤部材２５は、図９（ａ）に示すように、金属板により、先端部にフック状の鉤部２６を下向きに設けて形成され、中央部近傍に係合部２８が一方の側に突き出すように突設される。鉤部２６は、図２、８に示す如く、上記基枠体１０の第１ケースフレーム２０の前縁部に設けたスリット２０ａから前方に突出し、前扉８２の閉鎖時、前扉８２の受け金具９１に対し鉤部材２５が係止される構造となっている。
【００３６】
鉤部材２５の係合部２８には、第１作動杆１２の係合部１５が係合可能とされ、第１作動杆１２が前扉８２の解錠時に上方に移動したとき、第１作動杆１２の係合部１５が係合部２８と係合して、鉤部材２５が支軸２７を軸に上側に傾動し、前扉８２の受け金具９１との係合を外し、解錠される。各鉤部材２５には、それを施錠側に付勢するためにトーションばね２９が支軸２７の周囲に装着される。これにより、前扉８２を閉じたとき、前扉８２側の受け金具９１が鉤部２６の傾斜部に当接し、トーションばね２９のばね力に抗して、鉤部材２５が解錠側に僅かに傾動し、その後、トーションばね２９のばね力により、元の施錠位置まで戻り、施錠状態となる。
【００３７】
鉤部材２５を解錠側に摺動させる第１作動杆１２は、図６，７，８に示すように、縦長の帯状に形成され、その上部、中間部、下部の鉤部材２５に対応した位置に、スリット状の係合部１５が設けられる。さらに、第１作動杆１２の下部寄りには、後述のシリンダ錠ユニット４の円柱部材４５と係合する係合凹部１６が前方に開口して形成される。この係合凹部１６の前部には、略三角形状の突出部が突出して上部と下部に設けられ、突出部の内側には、前方を第１作動杆１２の摺動方向（上下方向）に向けて拡開する拡開形状部１７が形成されている。
【００３８】
この係合凹部１６の前部に拡開形状部１７が上下前方向に拡開して設けられることにより、前扉８２を閉じてシリンダ錠ユニット４の円柱部材４５を係合凹部１６内に進入させるとき、例えシリンダ錠４０に差し込んだキーを回した状態で円柱部材４５の位置が上下にずれている場合でも、円柱部材４５を確実に係合凹部１６内に係合させることができる構造としている。
【００３９】
さらに、上記の如く、円柱部材４５の位置が上下にずれている場合、円柱部材４５を係合凹部１６内に係合させながら、適正位置に第１作動杆１２を戻すために、第１作動杆１２は、１本のコイルばね２４によって、上下フローティング状態に支持され、常時、上下中立位置に第１作動杆１２を保持する構造となっている。図６，７，８に示すように、支持板１１と第１作動杆１２には、コイルばね２４を収容するスリット部が設けられ、そのスリット部の上方と下方に、ばね掛け部材を挿通させる矩形穴（長孔部）が設けられ、コイルばね２４の上下両端部は、ばね掛け部材を介して、第１作動杆１２の矩形穴を通し、支持板１１の矩形穴に掛けられる。
【００４０】
コイルばね２４を装着する場合、コイルばね２４の両側端部に掛けたばね掛け部材を、第１作動杆１２の矩形穴を通して、支持板１１の矩形穴の掛止部に掛止させる。これにより、第１作動杆１２を上または下に移動させたとき、移動側のばね掛け部材を第１作動杆１２の矩形穴の掛止部に係合させる。これにより、コイルばね２４を伸張させてばね力を第１作動杆１２に付与し、そのばね力によって第１作動杆１２の位置を中立位置に戻すように構成される。
【００４１】
他方、支持板１１における上部と下部のラッチ凹部１４の直ぐ下側に、各々、中扉８１を本体枠８０に対し施錠するためのラッチ部材３０が、支軸３１により所定の角度範囲内で回動可能に軸支される。ラッチ部材３０は、図９（ｂ）に示すように、金属板により略円板状に形成され、その上縁部にロック凹部３２が開口して設けられ、略中央部が支軸３１により回動可能に軸支される。
【００４２】
また、ロック凹部３２の反対側の下縁部に、係合部３４が凹状に形成される。この係合部３４は、中扉８１が閉じられて、中扉８１の係止受ピン９０ａがラッチ凹部１４からロック凹部３２内に進入して、ラッチ部材３０がロック位置まで回動したとき、第２作動杆１３の作動係合部１９がこの係合部３４に進入して係合し、ラッチ部材３０をロック位置でロックするようになっている。
【００４３】
ラッチ部材３０には、コイルばね３３が第２作動杆１３との間に装着され、ラッチ部材３０を常時、解錠側に付勢する。したがって、ラッチ部材３０は、通常時、コイルばね３３の付勢力により解錠状態を保持し、中扉８１を閉じたとき、その受け具９０の係止受ピン９０ａがラッチ凹部１４に進入し、係止受ピン９０ａに押されてラッチ部材３０が施錠位置まで回動したとき、係合部３４に第２作動杆１３の作動係合部１９が係止され、施錠状態にロックされる。
【００４４】
第２作動杆１３は、ラッチ部材３０を解錠動作させるための作動杆であり、第１作動杆１２が下方に移動操作されたとき、第１作動杆１２と係合して、下方に移動し、ラッチ部材３０を解錠側に回動させる構造である。このために、第１作動杆１２の下部近傍に、図６、７に示す如く、係合部１８が突設され、第２作動杆１３の対応位置には、係合部２３が設けられる。第２作動杆１３の係合部２３はスリットの下端に形成され、第１作動杆１２の係合部１８がそのスリット内に挿入され、第１作動杆１２が下方に移動操作されたとき、係合部１８が係合部２３と係合し、第２作動杆１３が第１作動杆１２とともに下方に移動し、ラッチ部材３０が解錠動作する構造となっている。
【００４５】
上記のように、第１作動杆１２はコイルばね２４により上下にフローティング状態で保持され、中立位置に戻るように付勢される。このため、第１作動杆１２は、上方にまたは下方に所定幅で、コイルばね２４の付勢力に抗して移動可能であり、例えば第１作動杆１２がシリンダ錠４０のカム部材４３の回動動作によって上方に移動したとき、つまり、前扉８２を解錠するために、シリンダ錠４０が解錠操作され、第１作動杆１２が上方に摺動したとき、コイルばね２４の下側のばね掛け部材の下端部が支持板１１の矩形穴に係止されて移動できずに静止する。一方、上のばね掛け部材は第１作動杆１２の上方移動と共に上に移動し、ばね掛け部材の上端部が支持板１１の長孔部内を上に移動し、これによりコイルばね２４が引き伸ばされ、鉤部材２５が傾動して、前扉８２が解錠される。この後、第１作動杆１２はコイルばね２４により下方に付勢されて下方の中立位置に戻されることとなる。
【００４６】
他方、第１作動杆１２がシリンダ錠４０のカム部材４３の回動動作によって下方に移動したとき、つまり、中扉８１を解錠するために、シリンダ錠４０が解錠操作され、第１作動杆１２が下方に摺動したとき、下のばね掛け部材の下端部が支持板１１の矩形穴内を下方に移動し、一方、上のばね掛け部材の上端部は上の矩形穴に係止されて移動できずに静止する。これによりコイルばね２４が引き伸ばされ、ラッチ部材３０が傾動して、中扉８１が解錠されるが、この後、第１作動杆１２はコイルばね２４により上方に付勢されて上方の中立位置に戻されることとなる。
【００４７】
上記のように、中扉８１を施錠するラッチ部材３０は、基枠体１０内の支持板１１の上部と下部に設けたラッチ凹部１４の近傍に、支軸３１を介して、所定の角度範囲で傾動可能に軸支される。ラッチ部材３０は、図９（ｂ）に示すように、金属板を略円形に成形して形成され、その上部にロック凹部３２が、受け具９０の係止受ピン９０ａを拘束可能な形状に開口して形成される。さらに、ラッチ部材３０の下部には凹状の係合部３４が、第２作動杆１３の作動係合部１９と係合可能に形成される。上記のように、ラッチ部材３０は、支軸３１によって、支持板１１の上部と下部に設けたラッチ凹部１４の近傍に軸支されるが、各ラッチ部材３０には、コイルばね３３が第２作動杆１３との間に装着され、コイルばね３３は第２作動杆１３が、中扉８１の解錠操作に応じて、第１作動杆１２の下方移動に伴い下降したとき、ラッチ部材３０をその解錠側につまり受け具９０の係止受ピン９０ａを開放する側に付勢する構造である。
【００４８】
上記のように、第２作動杆１３の上部と下部には、作動係合部１９が設けられ、作動係合部１９はラッチ部材３０の係合部３４と係合可能である。よって、中扉８１が本体枠８０に対し閉じられたとき、本体枠８０側の受け具９０の係止受ピン９０ａが開口凹部２２から進入し、ラッチ部材３０に当接してラッチ部材３０が施錠側に傾動したとき、コイルばね３３のばね力により、第２作動杆１３及び作動係合部１９が上昇するので、これにより、作動係合部１９がラッチ部材３０の係合部３４と係合し、ラッチ部材３０が受け具９０の係止受ピン９０ａを拘束する位置でロックされる。
【００４９】
一方、シリンダ錠４０を解錠操作して、中扉８１を解錠した場合、第１作動杆１２が下方に移動するとともに第２作動杆１３が下降するため、作動係合部１９がラッチ部材３０の係合部３４から外れ、同時に、コイルばね３３によりラッチ部材３０が解錠方向に付勢され、ラッチ部材３０は拘束している受け具９０の係止受ピン９０ａを開放するように回動し、解錠状態となるように構成される。
【００５０】
一方、ゲーム機の中扉８１の前面に前扉８２が開閉可能に装着され、この前扉８２にはシリンダ錠ユニット４が取り付けられる。
【００５１】
このシリンダ錠ユニット４は、図１０、図１１に示すように、基枠４１の取付板４１ａの略中央部に、シリンダ錠４０を取り付け、シリンダ錠４０の錠軸（ロータ）４２にカム部材４３を固定して構成されている。基枠４１は取付板４１ａと支持板４１ｂを直角に曲折した形状に形成され、取付板４１ａには、シリンダ錠挿入用の開口部が形成され、その開口部にシリンダ錠４０を背面側から挿入し、そのフランジ４０ａを取付板４１ａの内側に固定して取り付けられる。シリンダ錠４０の錠軸４２に、カム部材４３が固定ねじ等で固定され、カム部材４３には、２つの係合凸部４３ａ、４３ｂが突設され、摺動部材４４の係合部４７に係合可能となっている。
【００５２】
図１０，１１に示すように、基枠４１の支持板４１ｂの内側に、板状の摺動部材４４が上下に摺動可能に装着され、摺動部材４４の中央部の後部には、円柱部材４５が、シリンダ錠４０の錠軸４２と直角方向、つまり錠の軸方向と直交する方向に取り付けられる。円柱部材４５にはカラー４５ａが回転自在に外嵌され、上述のように、第１作動杆１２の係合凹部１６内に円柱部材４５が進入する際、その前方の拡開形状部１７に接触したとき、最小の摩擦抵抗で係合するようになっている。摺動部材４４は、その前部中央に凸部が形成され、凸部の上縁部と下縁部が、カム部材４３に対する係合部４７として形成され、カム部材４３の２つの係合凸部４３ａ，４３ｂの間に摺動部材４４の凸部が入り、カム部材４３の回動時、係合部４７とカム部材４３の係合凸部４３ａ，４３ｂが係合し、摺動部材４４が上または下に摺動するようになっている。
【００５３】
また、摺動部材４４には、その摺動方向（上下方向）にスリット４８が形成され、対応する支持板４１ｂの内側の上部と下部に、板状のガイド部４１ｃが突設され、上下のガイド部４１ｃがスリット４８に挿入されて、摺動部材４４の摺動時のガイドとされる。さらに、ガイド部４１ｃの両内側に、スリット４１ｄが摺動部材４４のスリット４８に対応して形成される。コイルばね４６の両端部が略Ｕ字状に曲げられ、コイルばね４６は支持板４１ｂの外側から、そのＵ字状端部をスリット４１ｄ、４８に挿通させ、摺動部材４４の上下のスリット４８の縁部に、コイルばね４６のＵ字状端部を係止させて、装着される。
【００５４】
これにより、摺動部材４４は、カム部材４３の回動に応じて、係合部４７から上方または下方への移動力を受け、摺動する構造となっている。これにより、シリンダ錠４０に差し込んだキーを右に回したとき、カム部材４３の上の係合凸部４３ａが摺動部材４４の係合部４７と係合し、摺動部材４４を押し下げる。一方、シリンダ錠４０に差し込んだキーを左に回したとき、カム部材４３の下の係合凸部４３ｂが摺動部材４４の係合部４７と係合し、摺動部材４４を押し上げる構造である。
【００５５】
上記のように構成された施錠装置の中扉用錠ユニット１は、図１３、１４に示すように、ゲーム機の中扉８１内にそのラッチ部材３０を背面側つまり本体枠８０側に向け、その鉤部材２５を前面側つまり前扉８２側に向け、縦に固定して取り付けられる。また、本体枠８０側には、そのラッチ部材３０に対応して、受け具９０が、本体枠８０の右側壁部の内側に、その係止受ピン９０ａを水平状態として固定される。ゲーム機では、中扉８１が、本体枠８０の前面に開閉可能に取り付けられ、中扉８１の前面に前扉８２が開閉可能に取り付けられる。
【００５６】
一方、上記シリンダ錠ユニット４は、図１４に示すように、前扉８２に取り付けられる。シリンダ錠ユニット４は、その基枠４１内に設けた摺動部材４４の円柱部材４５が、図１５に示すように、中扉８１側の中扉用錠ユニット１の係合凹部１６と対応する位置となるように装着される。つまり、摺動部材４４に取り付けた円柱部材４５の水平位置が、中扉用錠ユニット１の第１作動杆１２に設けた係合凹部１６の水平位置と一致するように、シリンダ錠ユニット４は位置決めして前扉８２に取り付けられ、図１４に示すように、シリンダ錠４０は前扉８２の正面に露出する。上記のように、前扉８２を施錠する鉤部材２５は中扉８１側の中扉用錠ユニット１に取り付けられ、鉤部材２５に係止される受け金具９１は、前扉８２の内側に取り付けられる。
【００５７】
次に、上記構成の施錠装置の動作を説明する。ゲーム機の中扉８１を本体枠８０に対し閉じると、本体枠８０の上下に設けた受け具９０の係止受ピン９０ａが、中扉用錠ユニット１の上部と下部の開口凹部２２，２２からラッチ凹部１４内に進入し、ラッチ部材３０のロック凹部３２に進入する。
【００５８】
このとき、ラッチ部材３０は係止受ピン９０ａに押されて図１３の反時計方向にコイルばね３３のばね力に抗して回動し、回動端までラッチ部材３０が回動すると、図１３のように、その係合部３４に、第２作動杆１３の作動係合部１９が係止され、その状態でラッチ部材３０がロックされることにより、係止受ピン９０ａがラッチ部材３０のロック凹部３２に拘束され、中扉８１は本体枠８０に対し施錠状態となる。このような施錠時、受け具９０の係止受ピン９０ａは、ラッチ部材３０のロック凹部３２とラッチ凹部１４内に、密に嵌入されて拘束されるため、強固な施錠状態なり、また、その施錠動作も非常にスムーズに行なわれる。
【００５９】
一方、前扉８２を中扉８１に対し閉じると、前扉８２の内側に取り付けられた３個の受け金具９１が各々上部、中間部、下部の各鉤部材２５の鉤部２６の傾斜部に接触する。このとき、トーションばね２９の付勢力に抗して各鉤部材２５が上側に一旦傾動し、受け金具９１が鉤部２６に係止可能な状態で、鉤部材２５がトーションばね２９のばね力により基の状態に戻り、図１３のように、施錠状態となる。前扉８２は、上部、中間、下部の３個の鉤部材２５により施錠されるため、大型の前扉８２であっても、堅強に施錠される。
【００６０】
一方、中扉８１を解錠する場合、図１７のように、シリンダ錠４０にキーを挿入しその鍵を右に回す。このとき、カム部材４３が同方向に回動し、カム部材４３の係合凸部４３ａが摺動部材４４の係合部４７に係合して摺動部材４４を押し下げる。これにより、摺動部材４４が下降して、その中央に取り付けられた円柱部材４５が係合凹部１６に係合しながら下降するため、図１７のように、第１作動杆１２が下降し、その下部に設けた係合部１８と係合する第２作動杆１３が、係合部２３を介して下方へ押し下げられる。
【００６１】
これにより、第２作動杆１３の上部と下部の作動係合部１９が下降して、ラッチ部材３０の係合部３４との係合が外れ、上部と下部のラッチ部材３０は、コイルばね３３のばね力により、図１７のように、そのロック凹部３２を開放する方向に回動し、受け具９０の係止受ピン９０ａが開放されて、中扉８１が解錠される。
【００６２】
一方、前扉８２を解錠する場合、図１５のように、シリンダ錠４０にキーを挿入しキーを左に回す。このとき、カム部材４３が同方向に回動し、カム部材４３の係合凸部４３ｂが摺動部材４４の係合部４７に係合して摺動部材４４を押し上げる。これにより、摺動部材４４が上昇して、その中央に取り付けられた円柱部材４５が係合凹部１６に係合しながら上昇するため、図１５、１８のように、第１作動杆１２が上昇する。これにより、第１作動杆１２の上部、中間部、下部に設けた係合部１５が鉤部材２５の係合部２８を押し上げるように作用し、各鉤部材２５は、図１８のように、支軸２７をその鉤部２６を上側に傾動させる。これにより、各鉤部材２５と受け金具９１との係合が外れ、前扉８２は、図１８のように、解錠される。
【００６３】
ところで、ゲーム機が実際に使用されるパチンコホールなどにおいては、係員がゲーム機の前扉８２または中扉８１を開いた後、施錠する際、キーをシリンダ錠４０に差し込んで回した状態で、前扉８２または中扉８１を閉じる場合がある。
【００６４】
このような場合、つまりキーを右に回した状態で、前扉８２を閉じると、図１９に示すように、カム部材４３が同方向に回動して摺動部材４４が下降し、円柱部材４５が下降した状態で、第１作動杆１２の係合凹部１６に進入しようとする。このとき、係合凹部１６の前方に拡開形状部１７が拡開するように配置されるので、円柱部材４５はその傾斜した拡開形状部１７に当接し、第１作動杆１２を押し下げ、或いは円柱部材４５を介して摺動部材４４が上方に戻る作用力を受ける。
【００６５】
このため、第１作動杆１２が下降して円柱部材４５が係合凹部１６に正常に係合する状態となり、或いは、カム部材４３と錠軸４２を介して戻す作用力を受けたシリンダ錠４０が、ニュートラル位置に戻される。これにより、円柱部材４５が中央位置に戻り、第１作動杆１２の係合凹部１６に正常に進入し、前扉８２を正常な施錠状態とすることができる。勿論、このとき、中扉８１が閉じられた状態であれば、シリンダ錠ユニット４の円柱部材４５が中央位置で正常に係合凹部１６に嵌入しているため、中扉８１に正常な施錠状態となる。
【００６６】
一方、シリンダ錠４０に差し込んだキーを左に回した状態で、前扉８２を閉じると、図２０に示すように、カム部材４３が同方向に回動して摺動部材４４が上昇し、円柱部材４５が上昇した状態で、第１作動杆１２の係合凹部１６に進入しようとする。このときも、同様に、係合凹部１６の前方に拡開形状部１７が拡開するように配置されるので、円柱部材４５はその傾斜した拡開形状部１７に当接し、第１作動杆１２を押し上げ、或いは円柱部材４５を介して摺動部材４４が下方に戻る作用力を受ける。
【００６７】
このため、第１作動杆１２が上昇して円柱部材４５が係合凹部１６に正常に係合する状態となり、或いは、カム部材４３と錠軸４２を介して戻す作用力を受けたシリンダ錠４０はニュートラル位置に戻され、これにより、円柱部材４５が中央位置に戻り、第１作動杆１２の係合凹部１６に正常に進入し、前扉８２及び中扉８１を正常な施錠状態とすることができる。
【００６８】
このように、シリンダ錠４０に差し込んだキーを前扉８２または中扉８１の解錠方向に回した状態で前扉８２を閉じたときでも、シリンダ錠ユニット４の円柱部材４５が中扉用錠ユニット１の第１作動杆１２の拡開形状部１７から係合凹部１６に進入するので、シリンダ錠ユニット４と中扉用錠ユニット１は適正な係合状態となり、鉤部材２５が適正に傾動して受け金具９１に係止され、前扉８２を中扉８１に対し適正に施錠することができる。
【００６９】
また、その状態で中扉８１が解錠状態であって、キーを中扉の解錠方向に回した状態で中扉８１を本体枠８０に対し閉じた場合でも、中扉用錠ユニット１のラッチ部材３０は適正に施錠状態となり、キーを中立位置に戻せば、中扉８１を適正に施錠することができる。
【００７０】
さらに、前扉８２を解錠する際、シリンダ錠４０をキーにより解錠側に回動操作すれば、カム部材４３が同方向に回転し、シリンダ錠ユニット４の基枠４１内の摺動部材４４が解錠側に摺動し、円柱部材４５及び係合凹部１６を介して第１作動杆１２を摺動させ、係合部を介して鉤部材２５を解錠側に傾動させ、前扉８２を円滑に解錠することができる。
【００７１】
なお、上記実施形態では、鉤部材２５が支軸２７を軸に傾動する構造としたが、上下に摺動させる構造としてもよく、また、鉤部材の数は、上部と下部の２個とすることもできる。また、上記実施形態では、ラッチ部材３０を上部と下部に配設したが、３箇所に配置することもできる。また、基枠体１０は、第１ケースフレーム２０と第２ケースフレーム２１を組み合わせて薄型形状とし、機能部品をケース内に収容する構造としたが、通常の横断面がＬ字状の基枠体を使用することもできる。
【符号の説明】
【００７２】
１      中扉用錠ユニット
４      シリンダ錠ユニット
１０    基枠体
１１    支持板
１２    第１作動杆
１３    第２作動杆
１４    ラッチ凹部
１５    係合部
１６    係合凹部
１７    拡開形状部
１８    係合部
１９    作動係合部
２０    第１ケースフレーム
２０ａ  スリット
２０ｂ  開口部
２１    第２ケースフレーム
２２    開口凹部
２３    係合部
２５    鉤部材
２６    鉤部
２７    支軸
２８    係合部
３０    ラッチ部材
３１    支軸
３２    ロック凹部
３４    係合部
４０    シリンダ錠
４０ａ  フランジ
４１    基枠
４１ａ  取付板
４１ｂ  支持板
４１ｃ  ガイド部
４１ｄ  スリット
４２    錠軸
４３    カム部材
４３ａ  係合凸部
４３ｂ  係合凸部
４４    摺動部材
４５    円柱部材
４５ａ  カラー
４７    係合部
４８    スリット
８０    本体枠
８１    中扉
８２    前扉
９０    受け具
９０ａ  係止受ピン
９１    受け金具
【図１】
0005951577.tif 000002
【図２】
0005951577.tif 000003
【図３】
0005951577.tif 000004
【図４】
0005951577.tif 000005
【図５】
0005951577.tif 000006
【図６】
0005951577.tif 000007
【図７】
0005951577.tif 000008
【図８】
0005951577.tif 000009
【図９】
0005951577.tif 000010
【図１０】
0005951577.tif 000011
【図１１】
0005951577.tif 000012
【図１２】
0005951577.tif 000013
【図１３】
0005951577.tif 000014
【図１４】
0005951577.tif 000015
【図１５】
0005951577.tif 000016
【図１６】
0005951577.tif 000017
【図１７】
0005951577.tif 000018
【図１８】
0005951577.tif 000019
【図１９】
0005951577.tif 000020
【図２０】
0005951577.tif 000021